(57)【要約】【課題】コールドドラフトを防止する放熱部を、床下空間部を利用することなく、しかも、床上に突出させることなく設置することができる、掃き出し窓におけるコールドドラフト防止システムを提供する。【解決手段】バルコニー１などの階上の掃き出し窓５の屋内側隣接床面部４に溝１１が設けられ、この溝１１内に温水管１２が設置され、溝１１は蓋１３で閉じられ、温水管１２の発する熱が蓋１３を介して上方に伝えられるようになされている。蓋１３は通気板からなり、温水管１２の熱が通気板１３に伝えられるようになされて、通気板１３が温水管１２の放熱フィンを兼ねている。【選択図】　　　図２
2004116974.tif 000002
【特許請求の範囲】
【請求項１】
掃き出し窓の屋内側隣接床面部に溝が設けられ、この溝内に放熱源が設置され、溝は蓋で閉じられ、放熱源の発する熱が蓋を介して上方に伝えられるようになされていることを特徴とする掃き出し窓におけるコールドドラフト防止システム。
【請求項２】
前記放熱源が暖房用温水管からなり、前記蓋が通気板からなり、温水管の熱が通気板に伝えられるようになされて、通気板が温水管の放熱フィンを兼ねている請求項１に記載の掃き出し窓におけるコールドドラフト防止システム。
【請求項３】
前記掃き出し窓が、階上の掃き出し窓である請求項１又は２に記載の掃き出し窓におけるコールドドラフト防止システム。
【発明の詳細な説明】
【０００１】
【発明の属する技術分野】
本発明は、掃き出し窓におけるコールドドラフト防止システムに関する。
【０００２】
【従来の技術及び課題】
例えば温水セントラル暖房方式を採用する寒冷地住宅では、放熱器は、窓からのコールドドラフトを防ぐため、腰高窓であれば、その下の腰壁に隣接するように設置されるが、掃き出し窓の場合には、床上に放熱器を突出させることはできないから、コールドドラフトを防ぎうるような設置が容易ではない。建物の一階に備えられた掃き出し窓では、かろうじて、下の床下空間部を利用して放熱器を設置することも行われたりするが、例えばバルコニーに面する二階の掃き出し窓については、一階の場合のような床下空間部はなく、コールドドラフトを防ぎうるような放熱器の設置はなされていないというのが現状である。
【０００３】
本発明は、上記のような背景において、コールドドラフトを防止する放熱部を、床下空間部を利用することなく、しかも、床上に突出させることなく設置することができる、掃き出し窓におけるコールドドラフト防止システムを提供することを課題とする。
【０００４】
【課題を解決するための手段】
上記の課題は、掃き出し窓の屋内側隣接床面部に溝が設けられ、この溝内に放熱源が設置され、溝は蓋で閉じられ、放熱源の発する熱が蓋を介して上方に伝えられるようになされていることを特徴とする掃き出し窓におけるコールドドラフト防止システムによって解決される。
【０００５】
このシステムでは、掃き出し窓の屋内側隣接床面部に溝が設けられ、この溝を利用してその内部に放熱源を設置し、溝を蓋で閉じるようにしているので、放熱部を、床下空間部を利用することなく、しかも、床上に突出させることなく設置することができて、掃き出し窓におけるコールドドラフトを防止することができる。
【０００６】
前記放熱源が暖房用温水管からなり、前記蓋が通気板からなり、温水管の熱が通気板に伝えられるようになされて、通気板が温水管の放熱フィンを兼ねている場合は、温水管の熱が通気板の通気部を通じて上昇していくことができるのみならず、温水の熱が温水管を通じて通気板に伝えられて通気板それ自体からも放熱が起こり、狭所である溝内に放熱源を設置するものでありながら、温水管を通る温水の熱を効率良く取り出してゴールドドラフトを効果的に防止することができる。しかも、放熱は温水であるから、通気板が無用に高温になることもなく、安全であるし、温水管ならメンテナンス等も容易である。
【０００７】
前記掃き出し窓が、これまでコールドドラフト防止策を講じづらかった階上の掃き出し窓である場合は、本システムを使用することによって、放熱部を、床下空間部を利用することなく、しかも、床上に突出させることなく設置して、コールドドラフトを効果的に防止することができる。
【０００８】
【発明の実施の形態】
次に、本発明の実施形態を図面に基づいて説明する。
【０００９】
図１に示す実施形態において、１は階上バルコニー、２はそれと隣り合う屋内側の室で、屋内側の室２において、３は天井面、４は床面であり、屋内側の室１とバルコニー１との間には掃き出し窓５が備えられている。
【００１０】
屋内側の床面４は、床仕上げ材としてのフローリング材６で仕上げられており、掃き出し窓５の屋内側隣接床面部に、掃き出し窓５からのコールドドラフト８を防止するための放熱部７が備えられている。
【００１１】
この放熱部７は、図２乃至図４に示すような構造をしている。即ち、屋内側の床は、フローリング材６の下に耐水合板９が備えられ、その下に床下地板１０が備えられたものからなっていて、床掃き出し窓５の屋内側隣接床面部に窓５に沿うようにして上方に開いた溝１１が設けられている。溝１１は、その底面高さ位置が床下地板１０の下面高さ位置よりも上方に位置するように設定されており、下地板１０、仕上げ材６を含む床板の厚さ寸法範囲内におさまる浅溝に形成されている。
【００１２】
そして、この溝１１内に、放熱源としての温水管１２が複数本、図面では４本、溝１１の延びる方向に向けられ、横方向に並列状態となって設置され、溝１１は温水管１２を隠すように蓋１３で閉じられている。
【００１３】
温水管１２は、銅管等の熱伝導性の良い材料からなっていて、温水式セントラル暖房用の温水管を引き回ししたものであってもよいし、専用の温水管で構成してもよく、また、上記のように温水管１２を複数本水平方向に並べる場合には、図示するように管を蛇行させて複数本を並べるようにしてもよいし、ヘッダーで複数本をパラレルに接続して並べるようにしてもよい。なお、溝１１内の温水管を一本とするのもよい。温水管として円形管のほか、偏平管等が用いられてもよい。
【００１４】
蓋１３は、熱伝導性の良い例えば金属などからなっていて、本実施形態では、蓋１３として、多数のスリット１３ａ…が明けられたガラリ状の通気板１３が用いられ、この通気板１３は、その下面を温水管１２と接触させて通気板１３に温水管１２の放熱フィンを兼ねさせ、かつ、上面を床面４との間にほとんど段差を生じないような高さ位置にして、溝１１を塞いでいる。なお、蓋１３の放熱フィンとしての効果を高め、かつ確実なものにするため、温水管１２と蓋１３とを一体化し、温水管つき蓋ないしは蓋付き温水管を用いるようにするのもよい。
【００１５】
上記のシステムでは、冬期の屋内暖房中、温水管１２に温水１４を通しておくと、温水の熱は、通気板１３の通気部であるスリット１３ａ…を通じて掃き出し窓５に沿うように上昇していくことができ、しかも、温水の熱が温水管１２を通じて通気板１３に伝えられて通気板１３それ自体からも放熱が起こり、その熱が掃き出し窓５に沿うように上昇していく。これにより、掃き出し窓５を通じたコールドドラフト８は効果的に防がれる。
【００１６】
しかも、上記のように、放熱部は、床面４に浅い溝１１を設け、この溝に温水管１２を設置し、溝１１を蓋１３で閉じた構造のものであるから、これを、床下空間部を利用することなく、しかも、床上に突出させることなく設置することができる。
【００１７】
以上に、本発明の実施形態を示したが、本発明はこれに限られるものではなく、発明思想を逸脱しない範囲で、各種の変更が可能である。例えば上記の実施形態では、蓋としてガラリ状の通気板を用いた場合を示しているが、小さな丸孔が多数を分散状態に明けられた通気板が用いられてもよいし、格子状ないしは網目状の通気板が用いられてもよいし、もちろん熱伝導性の良い無孔板が用いられてもよい。また、上記の実施形態では、階上バルコニー１の掃き出し窓５を通じたコールドドラフトを防止するシステムに構成した場合を示しているが、下に床下空間部の備えられた一階の掃き出し窓に対して適用してもよい。その場合であっても、床下空間部を利用して放熱部を設置する場合に比べて放熱部の設置を施工容易に行うことができるという利点もある。もちろん、本発明は、これらの掃き出し窓にその適用が制限されるものではなく、要は、コールドドラフトが問題となるような掃き出し窓に対して広く用いることができるものである。
【００１８】
【発明の効果】
本発明の、掃き出し窓におけるコールドドラフト防止システムは、以上のとおりのものであるから、コールドドラフトを防止する放熱部を、床下空間部を利用することなく、しかも、床上に突出させることなく設置することができる。
【図面の簡単な説明】
【図１】実施形態のシステムが適用されるバルコニーの掃き出し窓部分を示す断面側面図である。
【図２】放熱部の断面図である。
【図３】同断面斜視図である。
【図４】蓋を分離させた状態の断面図である。
【符号の説明】
２…屋内
４…床面
５…掃き出し窓
７…放熱部
１１…溝
１２…温水管（放熱源）
１３…通気板（蓋）
【図１】
2004116974.tif 000003
【図２】
2004116974.tif 000004
【図３】
2004116974.tif 000005
【図４】
2004116974.tif 000006